(57)【要約】【課題】ユーザが電力の情報を視認するために最適な表示を行う。【解決手段】受信部１１７は、複数の監視通報装置からデマンド値を取得し、センサ情報管理部１１３に供給する。センサ情報管理部１１３は、そのデマンド値をセンサ情報として記録部に記録させる。また、センサ情報管理部１１３は、記録部に記録されているデマンド値のうち、複数の監視通報装置から取得されたデマンド値を抽出し、表示情報生成部１１５に供給する。表示情報生成部１１５は、その複数のデマンド値を重ね合わせて表示させる。本発明は、例えば、データサーバとして機能する情報処理装置に適用することができる。【選択図】図４
2006288027.tif 000002
【特許請求の範囲】
【請求項１】
所定の情報を検知する複数の検知装置から、前記所定の情報を取得する情報処理装置において、
複数の前記検知装置から電力の情報を取得する取得手段と、
前記取得手段により取得される複数の電力の情報を重ね合わせて表示させる表示制御手段と
を備えることを特徴とする情報処理装置。
【請求項２】
前記表示制御手段は、所定の検知装置から取得される電力の情報と、他の検知装置から取得される電力の情報とを重ね合わせて表示させる
ことを特徴とする請求項１に記載の情報処理装置。
【請求項３】
前記取得手段は、複数の前記検知装置により所定の期間ごとに検知された電力の情報を取得し、
前記表示制御手段は、所定の検知装置から取得される、所定の期間と他の期間にそれぞれ検知された電力の情報を重ね合わせて表示させる
ことを特徴とする請求項１または２のいずれかに記載の情報処理装置。
【請求項４】
前記取得手段は、他の情報処理装置から地域ごとの気象の情報も取得し、
前記表示制御手段は、所定の検知装置が設置される地域の気象の情報も重ね合わせて表示させる
ことを特徴とする請求項１乃至３のいずれかに記載の情報処理装置。
【請求項５】
前記取得手段は、複数の前記検知装置から漏洩電流または温度の情報も取得し、
前記表示制御手段は、前記取得手段により取得される漏洩電流または温度の情報も重ね合わせて表示させる
ことを特徴とする請求項１乃至４のいずれかに記載の情報処理装置。
【請求項６】
所定の情報を検知する複数の検知装置から、前記所定の情報を取得する情報処理装置の情報処理方法において、
複数の前記検知装置から電力の情報を取得する取得ステップと、
前記取得ステップの処理により取得される複数の電力の情報を重ね合わせて表示させる表示制御ステップと
を含むことを特徴とする情報処理方法。
【請求項７】
所定の情報を検知する複数の検知装置から、前記所定の情報を取得する処理を、コンピュータに行わせるプログラムにおいて、
複数の前記検知装置から電力の情報を取得する取得ステップと、
前記取得ステップの処理により取得される複数の電力の情報を重ね合わせて表示させる表示制御ステップと
を含むことを特徴とするプログラム。
【発明の詳細な説明】
【技術分野】
【０００１】
本発明は、情報処理装置および情報処理方法、並びにプログラムに関し、特に、ユーザが電力の情報を視認するために最適な表示を行うことができるようにする情報処理装置および情報処理方法、並びにプログラムに関する。
【背景技術】
【０００２】
近年、建物（ビル等）に設置されたセンサにより、デマンド値を検知し、そのデマンド値を管理する管理システムがある。
【０００３】
ここで、デマンド値とは、電力会社との取引に使用される、30分間（デマンド時限）における平均使用電力値である。一般的に、電力会社に支払う電気料金は、使用した電力量に応じて課金される電力量料金と、デマンド値によって更新される契約電力に応じて決定される基本料金とを加算した金額となっており、一度決定した契約電力を超えて電気を使用すると、契約超過金の支払いが必要になったり、契約料金のアップにつながることになる。そこで、管理システムでは、デマンド値を管理し、抑制することにより、電気料金を軽減する。
【０００４】
例えば、気象会社からの季節予報に基づいて、気象条件ごとに設定されている目標デマンド値を選択し、その選択した目標デマンド値に応じてデマンド値を制御するデマンド制御運用支援装置がある（例えば、特許文献１参照）。
【特許文献１】特開２００２−１７６７２８号公報
【発明の開示】
【発明が解決しようとする課題】
【０００５】
しかしながら、デマンドを管理する管理システムにおいて、ユーザがデマンド値を視認するために最適な表示は行われていない。
【０００６】
本発明は、このような状況に鑑みてなされたものであり、ユーザが電力の情報を視認するために最適な表示を行うことができるようにするものである。
【課題を解決するための手段】
【０００７】
本発明の情報処理装置は、複数の検知装置から電力の情報を取得する取得手段と、取得手段により取得される複数の電力の情報を重ね合わせて表示させる表示制御手段とを備えることを特徴とする。
【０００８】
本発明の情報処理装置においては、複数の検知装置から電力の情報を取得し、取得した複数の電力の情報を重ね合わせて表示させる。
【０００９】
これにより、ユーザが電力の情報を視認するために最適な表示を行うことができる。
【００１０】
取得手段が電力を取得する検知装置は、例えば、電力計（電力メータ）、サーミスタ、漏電監視用の機器やセンサ、ガス漏れ、ドアの開閉、不法侵入者、または液面のレベルなどを検知するセンサ等として構成することができる。
【００１１】
取得手段は、例えば、複数の検知装置から電力の情報を取得する機能を有するアプリケーションソフトウエアを実行するCPU(Central Processing Unit)として構成することができる。また、表示制御手段は、例えば、複数の電力の情報を重ね合わせて表示させる機能を有するアプリケーションソフトウエアを実行するCPUとして構成することができる。
【００１２】
また、表示制御手段は、所定の検知装置から取得される電力の情報と、他の検知装置から取得される電力の情報とを重ね合わせて表示させることができる。
【００１３】
これにより、所定の検知装置が、所定の店舗の電力の情報を検知し、他の検知装置が、他の店舗の電力の情報を検知する場合、ユーザは、所定の店舗と他の店舗の電力の情報を容易に比較することができる。
【００１４】
さらに、取得手段は、複数の検知装置により所定の期間ごとに検知された電力の情報を取得し、表示制御手段は、所定の検知装置から取得される、所定の期間と他の期間にそれぞれ検知された電力の情報を重ね合わせて表示させることができる。
【００１５】
これにより、所定の検知装置が、所定の工場の電力の情報を検知する場合、ユーザは、例えば、所定の期間である工場が稼動していないときにも消費される電力の情報をデフォルト（初期値）として、他の期間である工場が稼動しているときに実質的に消費される電力の情報を容易に認識することができる。
【００１６】
また、取得手段は、他の情報処理装置から地域ごとの気象の情報も取得し、表示制御手段は、所定の検知装置が設置される地域の気象の情報も重ね合わせて表示させることができる。
【００１７】
これにより、複数の検知装置のそれぞれが気象の情報を検知する必要がなく、検知装置のコストを削減することができる。
【００１８】
さらに、取得手段は、複数の検知装置から漏洩電流または温度の情報も取得し、表示制御手段は、取得手段により取得される漏洩電流または温度の情報も重ね合わせて表示させることができる。
【００１９】
これにより、電力の情報と、漏洩電流または温度の情報との関係性を容易に認識することができる。
【００２０】
本発明の情報処理方法は、複数の検知装置から電力の情報を取得する取得ステップと、取得ステップの処理により取得される複数の電力の情報を重ね合わせて表示させる表示制御ステップとを含むことを特徴とする。
【００２１】
本発明のプログラムは、複数の検知装置から電力の情報を取得する取得ステップと、取得ステップの処理により取得される複数の電力の情報を重ね合わせて表示させる表示制御ステップとを含むことを特徴とする。
【００２２】
本発明の情報処理方法およびプログラムにおいては、複数の検知装置から電力の情報が取得され、取得される複数の電力の情報が重ね合わせて表示される。
【００２３】
これにより、ユーザが電力の情報を視認するために最適な表示を行うことができる
【００２４】
本発明の情報処理方法またはプログラムが対象とする情報処理装置は、例えば、複数の検出装置から所定の情報を取得するサーバとして機能するコンピュータ等で構成することができ、特に、検知装置は、電力計（電力メータ）、サーミスタ、漏電監視用の機器やセンサ、ガス漏れ、ドアの開閉、不法侵入者、または液面のレベルなどを検知するセンサ等として構成することができる。
【００２５】
取得ステップは、例えば、CPUにより、複数の検知装置から電力の情報が取得される取得ステップとして構成することができる。また、表示制御ステップは、例えば、CPUにより、複数の電力の情報が重ね合わせて表示させられる表示制御ステップとして構成することができる。
【発明の効果】
【００２６】
本発明によれば、ユーザが電力の情報を視認するために最適な表示を行うことができる。
【発明を実施するための最良の形態】
【００２７】
以下、本発明を適用した具体的な実施の形態について、図面を参照しながら詳細に説明する。
【００２８】
図１は、本発明を適用した遠隔監視通報システム１の一実施の形態の構成を示すブロック図である。
【００２９】
図１の遠隔監視通報システム１においては、通信網１３に、監視通報装置１１−１乃至１１−Ｎ、情報提供サーバ１２、並びに遠隔監視通報サーバ１４が接続され、通信網１５に、遠隔監視通報サーバ１４およびクライアント端末装置１６−１乃至１６−Ｍが接続されている。
【００３０】
監視通報装置１１−１は、例えば、“コンビニＡ店”に設けられている電力計（電力メータ）４１−１（後述する図２）と接続するように設置され、所定の時間（例えば、30分間（後述するデマンド時限））が経過した場合、その電力計４１−１から取り込んだ電力情報（パルス）に基づいて、その時間ごとの使用電力の平均値（平均使用電力値）であるデマンド値を遠隔監視通報サーバ１４宛に送信する。
【００３１】
また、監視通報装置１１−１には、例えば、サーミスタなどの後述する温度センサ４１−２も接続され、所定の時間（例えば、１分）が経過した場合、監視通報装置１１−１は、その時刻における温度センサ４１−２が測定した温度を示す値（温度値）を遠隔監視通報サーバ１４宛に送信する。さらに、監視通報装置１１−１には、例えば、漏電監視用の機器やセンサなどの後述する漏電センサ４１−３も接続され、所定の時間（例えば、１分）が経過した場合、監視通報装置１１−１は、その時刻における漏電センサ４１−３が検知した漏洩電流を示す値（漏洩電流値）を遠隔監視通報サーバ１４宛に送信する。
【００３２】
さらに、監視通報装置１１−１は、自分自身の内部の温度を測定し、所定の時間(例えば、１分)が経過した場合、監視通報装置１１−１は、その時刻における自分自身の内部の温度を示す値（内部温度値）を遠隔監視通報サーバ１４宛に送信する。
【００３３】
監視通報装置１１−２は、例えば、“コンビニＢ店”に設けられている電力計４１−１と接続するように設置され、監視通報装置１１−１と同様に、所定の時間（例えば、30分間（デマンド時限））が経過した場合、その電力計４１−１から取り込んだ電力情報（パルス）に基づいて、デマンド値を遠隔監視通報サーバ１４宛に送信する。
【００３４】
また、監視通報装置１１−２には、監視通報装置１１−１と同様に、温度センサ４１−２および漏電センサ４１−３も接続され、所定の時間（例えば、１分）が経過した場合、監視通報装置１１−２は、その時刻における温度センサ４１−２が測定した温度値を遠隔監視通報サーバ１４宛に送信するとともに、漏電センサ４１−３が検知した漏洩電流値を遠隔監視通報サーバ１４宛に送信する。
【００３５】
さらに、監視通報装置１１−２は、監視通報装置１１−１と同様に、自分自身の内部の温度を測定し、所定の時間(例えば、１分)が経過した場合、監視通報装置１１−２は、その時刻における内部温度値を遠隔監視通報サーバ１４宛に送信する。
【００３６】
監視通報装置１１−３（図示せず）乃至１１−Ｎのそれぞれは、例えば、店舗、工場、または一般家庭などに設けられている電力会社の電力計４１−１と接続するように設置され（監視装置１１−３は、例えば、“Ｃ工場”に、監視通報装置１１−Ｎは、“デパートＺ店”に設けられている電力計４１−１と接続するように設置され）、所定の時間（例えば、30分間（デマンド時限））が経過した場合、その電力計４１−１から取り込んだ電力情報（パルス）に基づいて、デマンド値を遠隔監視通報サーバ１４宛に送信する。
【００３７】
また、監視通報装置１１−３（図示せず）乃至１１−Ｎのそれぞれには、監視通報装置１１−１と同様に、温度センサ４１−２および漏電センサ４１−３も接続され、所定の時間（例えば、１分）が経過した場合、監視通報装置１１−３（図示せず）乃至１１−Ｎのそれぞれは、その時刻における温度センサ４１−２が測定した温度値を遠隔監視通報サーバ１４宛に送信するか、または漏電センサ４１−３が検知した漏洩電流値を遠隔監視通報サーバ１４宛に送信する。
【００３８】
監視通報装置１１−１乃至１１−Ｎのそれぞれは、通信網１３を介して、遠隔監視通報サーバ１４から送信されてくる、自分自身の設定に関する情報である監視通報設定情報を受信し、受信した監視通報設定情報を設定する。
【００３９】
ここで、監視通報設定情報とは、ユーザにより、監視通報装置１１−１乃至１１−Ｎのそれぞれに設定される、それぞれの装置で監視している情報を通報（通知）する間隔などの設定に関する情報である。具体的には、例えば、デマンド値を遠隔監視通報サーバ１４に通報する間隔である“30分”が、監視通報設定情報として、ユーザにより遠隔監視通報サーバ１４設定される。
【００４０】
情報提供サーバ１２は、例えば、気象会社などにより所定の地域（例えば、県、市など）ごとに検知（測定）される気温を示す値（気温値）や湿度を示す値（湿度値）などの気象情報（アメダスデータ）を記録する。情報提供サーバ１２は、その記録している気象情報を、通信網１３を介して遠隔監視通報サーバ１４に提供(送信)する。
【００４１】
このように、図１の遠隔監視通報システム１では、所定の地域内では大きな変化がない気象情報が、情報提供サーバ１２から取得されるので、監視通報装置１１−１乃至１１−Ｎのそれぞれに気象情報を検知するセンサが設けられる場合に比べて、監視通報装置１１−１乃至１１−Ｎのそれぞれに設けられるセンサの数を削減することができる。その結果、監視通報装置１１−１乃至１１−Ｎのコストを削減することができる。
【００４２】
通信網１３は、例えば、Dopa（ドゥーパ）通信回線（商標）で構成され、監視通報装置１１−１乃至１１−Ｎのいずれかと、遠隔監視通報サーバ１４とを相互に通信させる。
【００４３】
例えば、通信網１３は、監視通報装置１１−１乃至１１−Ｎのいずれかから供給されてくる、デマンド値、温度値、漏洩電流値、または内部温度値のいずれかを遠隔監視通報サーバ１４に伝送する。また、通信網１３は、遠隔監視通報サーバ１４から供給されてくる監視通報設定情報を、監視通報装置１１−１乃至１１−Ｎのいずれかに伝送する。
【００４４】
なお、通信網１３は、Dopa通信回線に限定されず、例えば、IEEE（The Institute of Electrical and Electronic Engineers , Inc.）802.11規格に準拠した無線LANによる無線の通信、FDDI（Fiber Distributed Data Interface）などの光ファイバ網、衛星通信網、イーサーネット（商標）、LAN（Local Area Network）、またはインターネットなどの各種の専用または公衆回線網を利用して構成するようにしてもよい。
【００４５】
遠隔監視通報サーバ１４は、例えば、WWW（World Wide Web）サーバおよびデータサーバなどにより構成される。
【００４６】
遠隔監視通報サーバ１４は、例えば、遠隔監視通報システム１による所定のサービスを提供する事業者の“データセンタ”に設置され、通信網１３を介して、監視通報装置１１−１乃至１１−Ｎのいずれかから送信されてくるデマンド値、温度値、漏洩電流値、または内部温度値を受信し、それぞれを蓄積する。また、遠隔監視通報サーバ１４は、情報提供サーバ１２から送信されてくる気象情報を受信して蓄積する。なお、以下では、デマンド値、温度値、漏洩電流値、内部温度値、または気象情報を区別する必要がない場合、それらをまとめて取得情報という。
【００４７】
遠隔監視通報サーバ１４は、クライアント端末装置１６−１乃至１６−Ｍのいずれかの要求に応じて、蓄積された取得情報のいずれかに所定の処理を施して、処理を施すことで得られた情報を、通信網１５を介して、クライアント端末装置１６−１乃至１６−Ｍのいずれかに送信する。
【００４８】
さらに、遠隔監視通報サーバ１４は、通信網１３を介して、クライアント端末装置１６−１乃至１６−Ｍのいずれかから送信されてくる監視通報設定情報を、通信網１３を介して、監視通報装置１１−１乃至１１−Ｎのいずれかに送信する。
【００４９】
通信網１５は、例えば、インターネットであり、TCP/IP（Transmission Control Protocol/Internet Protocol）などの所定のプロトコルに従って、遠隔監視通報サーバ１４およびクライアント端末装置１６−１乃至１６−Ｍのそれぞれを相互に通信させる。
【００５０】
クライアント端末装置１６−１乃至１６−Ｍは、例えば、PC（Personal Computer）、携帯電話機、またはPDA（Personal Digital Assistance）などの通信網１５に接続可能な機器であり、本発明の情報処理装置の一例である。
【００５１】
クライアント端末装置１６−１乃至１６−Ｍのそれぞれは、通信網１５を介して、通信網１５に接続された遠隔監視通報サーバ１４に様々なデータを送信するか、または遠隔監視通報サーバ１４から送信されてくる様々なデータを受信する。
【００５２】
例えば、クライアント端末装置１６−１乃至１６−Ｍのそれぞれは、遠隔監視通報サーバ１４に蓄積されている、取得情報に関する情報を取得するための要求を、通信網１５を介して、遠隔監視通報サーバ１４宛に送信した場合、その要求に応じて、通信網１５を介して、遠隔監視通報サーバ１４から送信されてくる、所定の処理が施された取得情報に関する情報を受信する。
【００５３】
また、例えば、クライアント端末装置１６−１乃至１６−Ｍのそれぞれは、通信網１５を介して、監視通報設定情報を遠隔監視通報サーバ１４宛に送信する。
【００５４】
なお、図１で示される遠隔監視通報システム１の例においては、遠隔監視通報サーバ１４が、１台設けられているが、各機能ごとに複数のサーバを設けるようにしてもよい。また、通信網１２と通信網１４とは、同一のものでもよい。
【００５５】
以下、監視通報装置１１−１乃至１１−Ｎを個々に区別する必要がない場合、単に監視通報装置１１と称する。また、クライアント端末装置１６−１乃至１６−Ｍを個々に区別する必要がない場合、単にクライアント端末装置１６と称する。
【００５６】
また、監視通報装置１１には、監視通報装置１１に固有の情報である装置ＩＤが付されている。なお、監視通報装置１１−Ｎの装置ＩＤは、Ｎであるものとする。
【００５７】
図２は、監視通報装置１１（検知装置）の構成例を示すブロック図である。
【００５８】
監視通報装置１１は、入力インターフェイス３１−１乃至３１−Ｊ、入力部３２、制御部３３、記録部３４、および通信部３５を含むように構成される。
【００５９】
入力インターフェイス３１−１乃至３１−Ｊは、いわゆる接続インターフェイスであり、様々な機器やセンサなどから入力されてくる信号を入力部３２に供給する。
【００６０】
入力インターフェイス３１−１には、例えば、店舗、工場、または一般家庭などに設けられている電力会社の電力計４１−１が接続され、入力インターフェイス３１−１は、電力計４１−１から取り込んだデマンド値を示す信号を入力部３２に供給する。入力インターフェイス３１−２には、例えば、サーミスタなどの温度センサ４１−２が接続され、入力インターフェイス３１−２は、温度センサ４１−２が測定した温度値を示す信号を入力部３２に供給する。入力インターフェイス３１−３には、例えば、漏電監視用の機器やセンサなどの漏電センサ４１−３が接続され、入力インターフェイス３１−３は、漏電センサ４１−３が検知した漏洩電流値を示す信号を入力部３２に供給する。
【００６１】
入力インターフェイス３１−４（図示せず）乃至３１−Ｊのそれぞれには、例えば、ガス漏れ、ドアの開閉、不法侵入者、または液面のレベルなどを検知する、センサ４１−４（図示せず）乃至４１−Ｊのそれぞれが接続され、入力インターフェイス３１−４（図示せず）乃至３１−Ｊのそれぞれは、それらのセンサが検知した信号を入力部３２に供給する。
【００６２】
入力部３２は、入力インターフェイス３１−１乃至３１−Ｊのいずれかから、センサの検知した信号が供給されてきた場合、その信号を制御部３３に供給する。例えば、入力部３２は、入力インターフェイス３１−１乃至３１−３のいずれかから、デマンド値、温度値、または漏洩電流値を示す信号のいずれかが供給されてきた場合、それらを制御部３３に供給する。
【００６３】
制御部３３は、入力部３２から信号が供給されてきた場合、記録部３４に記録されている監視通報設定情報を基に、その信号を遠隔監視通報サーバ１４に通知するか否かを判定する。制御部３３は、信号を通知すると判定した場合、通信部３５を制御して、通信網１３に接続させ、遠隔監視通報サーバ１４に、その信号を通知するパケットを遠隔監視通報サーバ１４宛に送信させる。
【００６４】
例えば、制御部３３は、入力部３２からデマンド値を示す信号が供給されてきた場合、記録部３４に記録されている監視通報設定情報を基に、前回デマント値を通知してから30分を経過したか否かを判定し、30分経過したと判定された場合、通信部３５を制御して、通信網１３に接続させ、デマンド値を通知するパケットを遠隔監視通報サーバ１４宛に送信させる。
【００６５】
また、例えば、制御部３３は、デマンド値の場合と同様に、入力部３２から温度値または漏洩電流値を示す信号のいずれかが供給されてきた場合、記録部３４に記録されている監視通報設定情報を基に、前回通知してから１分を経過したか否かを判定し、１分経過したと判定された場合、通信部３５を制御して、通信網１３に接続させ、温度値または漏洩電流値のいずれかを通知するパケットを遠隔監視通報サーバ１４宛に送信させる。
【００６６】
なお、例えば、監視通報設定情報として、予め、デマンド値の閾値を設定しておくことで、制御部３３は、入力部３２からデマンド値が供給されてきた場合、記録部３４に記録されている監視通報設定情報を基に、供給されたデマント値が、所定の時間（例えば、15分）を経過した後に、予め設定されている閾値を超えるか否かを判定し（予想し）、所定の時間が経過した後に、予め設定されているデマンド値を超えると判定した場合、通信部３５を制御して、通信網１３に接続させ、デマンド値が閾値を超えることを示す警報を通知するパケットを遠隔監視通報サーバ１４宛に送信させるようにしてもよい。
【００６７】
また、制御部３３は、通信網１３を介して、遠隔監視通報サーバ１４から送信されてくる監視通報設定情報を、記録部３４に記録させて設定する。例えば、制御部３３は、通信網１３を介して、監視通報設定情報として遠隔監視通報サーバ１４から送信されてくる、デマンド値を遠隔監視通報サーバ１４に通報する間隔である“30分”を、記録部３４に記録させて設定する。
【００６８】
さらに、制御部３３は、内部温度測定部３５から供給されてくる監視通報装置１１の内部の温度を示す内部温度値を、例えば、所定の時間が経過した場合、通信部３５を制御して、通信網１３を接続させ、その内部温度値を通知するパケットを遠隔監視通報サーバ１４宛に送信させる。
【００６９】
以下、電力計４１−１、温度センサ４１−２、漏電センサ４１−３、およびセンサ４１−４乃至４１−Ｎを個々に区別する必要がない場合、センサ４１と称する。
【００７０】
図３は、遠隔監視通報サーバ１４（情報処理装置）の構成例を示すブロック図である。
【００７１】
CPU（Central Processing Unit）５１は、ROM５２に記憶されているプログラム、または、記録部５８に記録されているプログラムに従って各種の処理を実行する。RAM５３には、CPU５１が実行するプログラムやデータなどが適宜記憶される。これらのCPU５１、ROM５２、およびRAM５３は、バス５４を介して相互に接続されている。
【００７２】
CPU５１にはまた、バス５４を介して入出力インターフェイス５５が接続されている。入出力インターフェイス５５には、キーボード、マウスなどよりなる入力部５６、LCD（Liquid Crystal Display）やCRT（Cathode Ray Tube）ディスプレイなどよりなる出力部５７が接続されている。CPU５１は、入力部５６から入力される指令に対応して各種の処理を実行する。そして、CPU５１は、処理の結果得られた画像や音声などを出力部５７に出力する。
【００７３】
入出力インターフェイス５５に接続されている記録部５８は、例えば、ハードディスクなどで構成され、CPU５１が実行するプログラムや各種のデータを記録する。通信部５９は、通信網１３、通信網１５、その他のネットワーク、または通信媒体を介して外部の装置と通信する。
【００７４】
また、通信部５９を介してプログラムを取得し、記録部５８に記録してもよい。
【００７５】
入出力インターフェイス５５に接続されているドライブ６０は、磁気ディスク７１、光ディスク７２、光磁気ディスク７３、または半導体メモリ７４などが装着されたとき、それらを駆動し、そこに記録されているプログラムやデータなどを取得する。取得されたプログラムやデータは、必要に応じて記録部５８に転送され、記録される。
【００７６】
なお、クライアント端末装置１６は、遠隔監視通報サーバ１４と同様に構成されるので、その記載および説明は省略する。また、遠隔監視通報サーバ１４およびクライアント端末装置１６は、図３に示した内部構造に限らず、必要に応じて、機能を追加したり削除したりすることは可能であり、その機能に対応した構成を持つことが可能である。
【００７７】
図４は、遠隔監視通報サーバ１４により実行されるプログラムの構成の例（機能の構成の例）を示す図である。
【００７８】
OS（Operating System）１０１は、例えば、ファイルの管理、メモリの管理、入出力の管理、またはユーザインターフェイスの提供などの処理を行う基本プログラムである。例えば、OS１０１は、ウェブサーバプログラム１０２や監視通報プログラム１０３などの他のプログラムの要求に応じて、各種の機能を提供する。
【００７９】
ウェブサーバプログラム１０２は、通信網１５を介して、ウェブページを閲覧させるためのデータを相手に提供するプログラムである。例えば、ウェブサーバプログラム１０２は、後述するクライアント端末装置１６のウェブブラウザプログラム１５２（図５）からの、HTTP（HyperText Transfer Protocol）プロトコルなどの所定のプロトコルに従ったコマンド（リクエスト）に応じて、遠隔監視通報サーバ１４（の記録部５８）に記録されている取得情報を基に作成されたウェブページ（例えば、HTML（HyperText Markup Language）若しくはCHTML（Compact HTML）で記述された文書、または画像データなど）（レスポンス）を、各種の画面（例えば、後述する図１３の画面３００など）を表示するための表示情報として、通信網１５を介して送信する。
【００８０】
ウェブサーバプログラム１０２は、コマンド解析部１１１、ユーザ設定部１１２、送信部１１６、および受信部１１７を含むように構成される。
【００８１】
コマンド解析部１１１は、受信部１１７から供給されるコマンドを解析し、解析した結果を基に、ウェブサーバプログラム１０２の各部に所定の処理を実行させる。例えば、コマンド解析部１１１は、受信部１１７から供給されてくるコマンドを解析し、解析した結果を基に、コマンドに付加されたユーザの設定に関するパラメータ(以下、ユーザ設定パラメータという)をユーザ設定部１１２に供給することで、遠隔監視通報システム１を使用する契約をしたユーザに関する所定の処理を実行させる。また、コマンド解析部１１１は、受信部１１７から供給されてくるコマンド（リクエスト）に従って処理を実行し、送信部１１６に、通信網１５を介して、実行した処理の結果であるウェブページ（レスポンス）を表示情報としてクライアント端末装置１６宛に送信させる。
【００８２】
ユーザ設定部１１２は、コマンド解析部１１１によるコマンドの解析結果に従って、コマンド解析部１１１からコマンドに付加されたユーザ設定パラメータが供給されてきた場合、遠隔監視通報システム１を使用する契約をしたユーザに関する所定の処理を実行する。
【００８３】
ユーザ設定部１１２は、ユーザアカウント発行部１２１、権限設定部１２２、および監視通報装置設定部１２３を含むように構成される。
【００８４】
ユーザアカウント発行部１２１は、コマンド解析部１１１によるコマンドの解析結果に従って、コマンド解析部１１１からコマンドに付加されたユーザ設定パラメータが供給されてきた場合、ユーザアカウント発行の処理を行う。例えば、ユーザアカウント発行部１２１は、コマンド解析部１１１から供給されてくる、コマンドに付加された、グループ名、ユーザID、およびパスワードであるパラメータの値を、遠隔監視通報サーバ１４の記録部５８（のグループ情報記録部２０３（後述する図８））に記録させることで、ユーザアカウントを発行する。
【００８５】
また、ユーザアカウント発行部１２１は、コマンド解析部１１１から供給されるユーザIDおよびパスワードに基づいて、ユーザアカウントに付与される権限のレベルであるユーザレベルを決定し、グループ情報記録部２０３(後述する図８)に記録させる。
【００８６】
権限設定部１２２は、コマンド解析部１１１によるコマンドの解析結果に従って、コマンド解析部１１１からコマンドに付加されたユーザ設定パラメータが供給されてきた場合、権限設定の処理を行う。例えば、権限設定部１２２は、コマンド解析部１１１から供給されてくる、コマンドに付加された、“ユーザアカウントの発行の権限”であるユーザ設定パラメータの値を、遠隔監視通報サーバ１４のグループ情報記録部２０３に記録させることで、対象となるユーザアカウントにおける権限を設定する。
【００８７】
監視通報装置設定部１２３は、コマンド解析部１１１によるコマンドの解析結果に従って、コマンド解析部１１１からコマンドに付加されたユーザ設定パラメータが供給されてきた場合、監視通報装置設定の処理を行う。例えば、監視通報装置設定部１２３は、コマンド解析部１１１から供給されてくる、ユーザ設定コマンドに付加された監視通報装置１１の装置ＩＤであるパラメータの値を、遠隔監視通報サーバ１４のグループ情報記録部２０３に記録させることで、対象となるユーザアカウントで設定や閲覧が可能となる監視通報装置１１を設定する。
【００８８】
なお、以下では、ユーザアカウント発行部１２１、権限設定部１２２、および監視通報装置設定部１２３が、コマンド解析部１１１からのユーザ設定パラメータに基づいて、グループ情報記録部２０３（後述する図８）に記録するグループ名、ユーザID、パスワード、およびユーザレベル、“ユーザアカウントの発行の権限”、並びに装置ＩＤをグループ情報という。
【００８９】
さらに、監視通報装置設定部１２３は、例えば、ユーザが遠隔監視通報サーバ１４の入力部５６を操作することにより入力した監視通報装置１１の装置ＩＤ、並びに監視通報装置１１が接続されているセンサ４１が設けられた店舗や工場などの施設の名前（施設名）と存在する地域（例えば、県や市など）の名前（地域名）を、監視通報装置情報として、遠隔監視通報サーバ１４の記録部５８に記録させる。
【００９０】
なお、ユーザが遠隔監視通報サーバ１４の入力部５６を操作することにより入力するのではなく、クライアント端末装置１６の入力部５６を操作することにより入力するようにしてもよい。この場合、ユーザにより入力された監視通報装置１１の装置ＩＤ、施設名、および地域名を表す情報が、クライアント端末装置１６から遠隔監視通報サーバ１４に送信され、遠隔監視通報サーバ１４の記録部５８に記録させる。
【００９１】
また、監視通報装置設定部１２３は、コマンド解析部１１１からの指令に応じて、遠隔監視通報サーバ１４の記録部５８に記録されている監視通報装置情報またはグループ情報から、所定の監視通報装置情報またはグループ情報を抽出し、表示情報生成部１１５に供給する。
【００９２】
センサ情報管理部１１３は、受信部１１７から供給される取得情報のうち、監視通報装置１１から受信される取得情報（デマンド値、温度値、漏洩電流値、および内部温度値）をセンサ情報として管理する。
【００９３】
具体的には、センサ情報管理部１１３は、受信部１１７から供給されるデマンド値、温度値、漏洩電流値、および内部温度値をセンサ情報として、図３の記録部５８に記録させる。また、センサ情報管理部１１３は、コマンド解析部１１１からの指令に応じて、記録部５８に記録されているセンサ情報から、所定のセンサ情報を読み出し（抽出し）、表示情報生成部１１５に供給する。
【００９４】
取得情報管理部１１４は、受信部１１７から供給される取得情報のうち、情報提供サーバ１２から受信される気象情報を管理する。具体的には、取得情報管理部１１４は、センサ情報管理部１１３と同様に、受信部１１７からの気象情報を、図３の記録部５８に記録させる。また、取得情報管理部１１４は、コマンド解析部１１１からの指令に応じて、記録部５８に記録されている気象情報から、所定の気象情報を読み出し、表示情報生成部１１５に供給する。
【００９５】
表示情報生成部１１５は、コマンド解析部１１１からの指令に応じて、記録部５８からグループ情報と監視通報装置情報を読み出す。表示情報生成部１１５は、例えば、コマンド解析部１１１からの指令に応じて、グループ情報、監視通報装置情報、センサ情報管理部１１３からのセンサ情報、または気象情報管理部１１４からの気象情報に基づいて、センサ情報や気象情報のグラフを表示する画面のウェブページを、表示情報として生成する。そして、表示情報生成部１１５は、生成した表示情報を送信部１１６に供給する。
【００９６】
送信部１１６は、遠隔監視通報サーバ１４の通信部５９において行われる表示情報の送信を制御する。例えば、送信部１１６は、通信部５９を制御して、クライアント端末装置１６から送信されてくるコマンド（リクエスト）に応じたコマンド解析部１１１の指令を基に、通信部５９に、表示情報生成部１１５から供給される表示情報を、通信網１５を介してクライアント端末装置１６宛に送信する。
【００９７】
受信部１１７は、遠隔監視通報サーバ１４の通信部５９において行われるコマンドの受信を制御する。例えば、受信部１１７は、通信部５９を制御して、通信網１５を介して、クライアント端末装置１６から送信されてくるコマンドを受信し、そのコマンドをコマンド解析部１１１に供給する。
【００９８】
監視通報プログラム１０３は、監視通報装置１１との連携に関する処理を行うプログラムである。例えば、監視通報プログラム１０３は、遠隔監視通報サーバ１４の通信部５９を制御して、通信網１３を介して、監視通報設定情報を監視通報装置１１宛に送信したり、監視通報装置１１または情報提供サーバ１２から送信されてくるセンサ情報を受信する。監視通報プログラム１０３は、監視通報装置１１または情報提供サーバ１２から受信する取得情報のうち、センサ情報をセンサ情報管理部１１３に、気象情報を気象情報管理部１１４に供給する。
【００９９】
図５は、図１のクライアント端末装置１６により実行されるプログラムの構成の例（機能の構成の例）を示す図である。
【０１００】
OS１５１は、例えば、ファイルの管理、メモリの管理、入出力の管理、またはユーザインターフェイスの提供などの処理を行う。
【０１０１】
ウェブブラウザプログラム１５２は、通信網１５に接続された遠隔監視通報サーバ１４またはウェブサーバ（図示せず）などが公開しているウェブページを閲覧するためのアプリケーションプログラムである。より具体的には、ウェブブラウザプログラム１５２は、例えば、ウェブサーバとしての遠隔監視通報サーバ１４から、所定のプロトコルに従って、ウェブページを表示情報として取得し、その表示情報の記述に基づく文または画像を、クライアント端末装置１６の出力部５７に表示させる。
【０１０２】
ウェブブラウザプログラム１５２は、表示制御部１６１、入力制御部１６２、コマンド生成部１６３、送信部１６４、および受信部１６５を含むように構成される。
【０１０３】
表示制御部１６１は、受信部１６５から供給される表示情報に基づいて、クライアント端末装置１６の出力部５７に、各種の画面を表示させる。
【０１０４】
入力制御部１６２は、ユーザによる入力部５６の操作を受け付け、その操作に対応する操作信号をコマンド生成部１６３に供給する。
【０１０５】
コマンド生成部１６３は、入力制御部１６２からの操作信号に基づいて、所定のコマンドを生成し、そのコマンドを送信部１６４に供給する。例えば、コマンド生成部１６３は、ユーザの操作に対応する操作信号を基に、遠隔監視通報サーバ１４に対するコマンドを生成し、コマンドを送信部１６４に供給する。
【０１０６】
送信部１６４は、クライアント端末装置１６の通信部５９において行われるデータの送信を制御する。例えば、送信部１６４は、通信部５９を制御し、コマンド生成部１６３から供給されるコマンドを、通信網１５を介して、遠隔監視通報サーバ１４に送信する。
【０１０７】
受信部１６５は、クライアント端末装置１６の通信部５９において行われるデータの受信を制御する。例えば、受信部１６５は、通信部５９を制御し、通信網１５を介して、遠隔監視通報サーバ１４から送信されてくる表示情報を受信する。そして、受信部１６５は、その表示情報を表示制御部１６１に供給する。
【０１０８】
ところで、一般的に、あるシステムを提供する場合、不正なユーザにシステムを使用させないようにするために、正当なユーザに対して、ユーザアカウントを発行し、ユーザアカウントを発行されたユーザ以外は、システムを使用できないようにしている。遠隔監視通報システム１においても、遠隔監視通報システム１を使用する契約したユーザに対して、ユーザアカウントを発行することで、ユーザアカウントを発行されたユーザ（契約をしているユーザ）以外は、遠隔監視通報システム１にログインできないようにしている。
【０１０９】
以下、図６および図７を参照して、遠隔監視通報システム１にログインするためのユーザアカウントの概要について説明する。まず、図６を参照して、ユーザアカウントの種別について説明する。
【０１１０】
図６は、遠隔監視通報システム１におけるユーザアカウントの種別の例を示す図である。
【０１１１】
図６で示される例において、１行目は項目を示し、２行目は“１”であるユーザレベルにおける権限の内容を示し、３行目は“２”であるユーザレベルにおける権限の内容を示し、４行目は“３”であるユーザレベルにおける権限の内容を示し、５行目は“４”であるユーザレベルにおける権限の内容を示す。
【０１１２】
また、１行目の項目には、１列目に“ユーザレベル”である項目、２列目に“名称”である項目、３列目に“権限”である項目が示されている。具体的には、１列目の“ユーザレベル”である項目は、ユーザアカウントに付与される権限のレベルを数字で示しており、数字が小さいほど、より強い権限を持っていることを示す。また、２列目の“名称”である項目は、“ユーザレベル”に対応して、その“ユーザレベル”の具体的な名称を示し、３列目の“権限”である項目は、“ユーザレベル”に対応して、その“ユーザレベル”に付与される権限の具体的な内容を示す。
【０１１３】
図６で示される例において、左から１列目で上から２個目の“１”であるユーザレベルは、ユーザレベルが“１”であることを示す。また、左から２列目で上から２個目の“システム管理者”である名称は、名称が“システム管理者”であることを示す。さらに、左から３列目で上から２個目の“システム管理者権限を持つ。”、“全ての端末の設定および閲覧ができる。”、および“端末管理者に対してユーザIDおよびパスワードを発行することができる。”である権限は、権限が“システム管理者権限を持つ。”、“全ての端末の設定および閲覧ができる。”、および“端末管理者に対してユーザIDおよびパスワードを発行することができる。”であるので、“システム管理者”である権限のユーザアカウントでログインしたユーザは、これらの処理を実行させることができる。
【０１１４】
すなわち、“１”であるユーザレベルの“システム管理者”は、遠隔監視通報システム１の全ての機能を実行することができる権限である。従って、この“システム管理者”である権限のユーザアカウントは、遠隔監視通報システム１と契約しているユーザではなく、遠隔監視通報システム１を提供する側の管理者によって使用され、契約をしたユーザに対して、ユーザアカウントを発行させることができる。
【０１１５】
また、図６で示される例において、左から１列目で上から３個目の“２”であるユーザレベルは、ユーザレベルが“２”であることを示す。また、左から２列目で上から３個目の“端末管理者”である名称は、名称が“端末管理者”であることを示す。さらに、左から３列目で上から３個目の“購入した全端末を自由にグルーピングできる。”、“購入した全端末の設定および閲覧ができる。”、および“グルーピングしたグループにユーザIDおよびパスワードの発行ができる。”である権限は、権限が“購入した全端末を自由にグルーピング（グループ分け）できる。”、“購入した全端末の設定および閲覧ができる。”、および“グルーピングしたグループにユーザIDおよびパスワードの発行ができる。”であるので、“端末管理者”である権限のユーザアカウントでログインしたユーザは、これらの処理を実行させることができる。
【０１１６】
すなわち、“２”であるユーザレベルの“端末管理者”は、自分が管理している端末（監視通報装置１１）であれば、全ての機能を実行することができる。この“端末管理者”である権限のユーザアカウントは、契約をしたユーザに対して発行される。例えば、“端末管理者”である権限のユーザアカウントは、契約したユーザが企業（例えば、設備管理会社）である場合に、その企業内の組織として、本社、支店、および営業所があるとき、本社、支店、および営業所のうち、本社の社員によって使用され、その企業で購入した端末（監視通報装置１１）に対して、グルーピングなどの様々な設定をしたり、支店および営業所の社員に対して、ユーザアカウントを発行することができる。
【０１１７】
換言すれば、“端末管理者”である権限のユーザアカウントでログインしたユーザは、監視通報装置１１をグルーピングし、グルーピングされた監視通報装置１１のグループに対して、“グループ管理者”である権限のユーザアカウントを発行できるとも言える。
【０１１８】
また、図６で示される例において、左から１列目で上から４個目の“３”であるユーザレベルは、ユーザレベルが“３”であることを示す。また、左から２列目で上から４個目の“グループ管理者”である名称は、名称が“グループ管理者”であることを示す。さらに、左から３列目で上から４個目の“端末管理者がグルーピングしたグループの管理ができる。”、“管理対象の端末をサブグループ化し、ユーザIDおよびパスワードの発行をすることができる。”、および“各サブグループに権限の付与ができる。”である権限は、権限が“端末管理者がグルーピングしたグループの管理ができる。”、“管理対象の端末をサブグループ化し、ユーザIDおよびパスワードの発行をすることができる。”であるので、“グループ管理者”である権限のユーザアカウントでログインしたユーザは、これらの処理を実行させることができる。
【０１１９】
すなわち、“３”であるユーザレベルの“グループ管理者”は、直近の上位の権限である“端末管理者”のユーザアカウントでログインしたユーザによって、グルーピングされたグループ内の端末（監視通報装置１１）であれば、全ての機能を実行することができる。例えば、“グループ管理者”である権限のユーザアカウントは、上述した、本社、支店、および営業所のうち、支店の社員によって使用され、その企業で購入した端末（監視通報装置１１）のうち、本社の社員（“端末管理者”のユーザアカウントでログインしたユーザ）によって、グルーピングされたグループ内の端末（監視通報装置１１）に対して、グルーピングなどの様々な設定をしたり、営業所の社員に対して、ユーザアカウントを発行することができる。
【０１２０】
換言すれば、“グループ管理者”である権限のユーザアカウントでログインしたユーザは、監視通報装置１１をグルーピングし、グルーピングされた監視通報装置１１のグループに対して、“一般ユーザ”である権限のユーザアカウントを発行できるとも言える。
【０１２１】
また、図６で示される例において、左から１列目で上から４個目の“４”であるユーザレベルは、ユーザレベルが“４”であることを示す。また、左から２列目で上から５個目の“一般ユーザ”である名称は、名称が“一般ユーザ”であることを示す。さらに、左から３列目で上から５個目の“グループ管理者から指定されたサブグループに属する端末に対して、許可された機能のみを利用できる。”である権限は、権限が“グループ管理者から指定されたサブグループに属する端末に対して、許可された機能のみを利用できる。”であるので、“一般ユーザ”である権限のユーザアカウントでログインしたユーザは、これらの処理を実行させることができる。
【０１２２】
すなわち、“４”であるユーザレベルの“一般ユーザ”は、直近の上位の権限である“グループ管理者”のユーザアカウントでログインしたユーザによって、グルーピングされたグループ内の端末（監視通報装置１１）であれば、全ての機能を実行することができる。例えば、“一般ユーザ”である権限のユーザアカウントは、上述した、本社、支店、および営業所のうち、営業所の社員（担当者）によって使用され、その企業で購入した端末（監視通報装置１１）のうち、支店の社員（“グループ管理者”のユーザアカウントでログインしたユーザ）によって、グルーピングされたグループ内の端末（監視通報装置１１）に対して、許可された機能のみを使用することができる。
【０１２３】
このように、遠隔監視通報システム１においては、権限によって複数の種別のユーザアカウントが存在し、上位の権限のユーザアカウントでログインしたユーザは、自分よりも下位の権限のユーザアカウントを発行することができる。換言すれば、ユーザアカウントは、階層構造になっているとも言える。
【０１２４】
次に、図７を参照して、遠隔監視通報システム１におけるユーザアカウントの階層構造について説明する。
【０１２５】
図７で示される例において、図中上側の“システム管理者”の下位の階層として、２つの“端末管理者”が示されている。これは、遠隔監視通報システム１を提供する側の管理者（“システム管理者”のユーザアカウントでログインしたユーザ）によって、遠隔監視通報システム１を使用する契約した２人のユーザのそれぞれに対して、２つの“端末管理者”である権限のユーザアカウントがそれぞれ発行されたことを示す。例えば、遠隔監視通報システム１の管理者は、２つの会社（Ａ社およびＢ社）が遠隔監視通報システム１を使用する契約している場合、Ａ社の本社の社員（本社社員Ａ）およびＢ社の本社の社員（本社社員Ｂ）のそれぞれに対して、“端末管理者”である権限のユーザアカウントを発行する。
【０１２６】
“システム管理者”の下位の階層である、２つの“端末管理者”のうち、左側の“端末管理者”の下位の階層として、２つの“グループ管理者”が示されている。これは、“端末管理者”である権限のユーザアカウントでログインしたユーザによって、２つの“グループ管理者”である権限のユーザアカウントが発行されたことを示す。例えば、Ａ社の本社社員Ａは、２人の支店の社員（支店社員Ｃおよび支店社員Ｄ）に対して、それぞれ、“グループ管理者”である権限のユーザアカウントを発行する。
【０１２７】
“端末管理者”の下位の階層である、２つの“グループ管理者”のうち、左側の下位の階層として、３つの“一般ユーザ”が示されている。これは、“グループ管理者”である権限のユーザアカウントでログインしたユーザによって、３つの“一般ユーザ”である権限のユーザアカウントが発行されたことを示す。例えば、支店社員Ｃは、３人の営業所の社員（担当者Ｅ、担当者Ｆ、および担当者Ｇ）に対して、それぞれ、“一般ユーザ”である権限のユーザアカウントを発行する。
【０１２８】
また、“端末管理者”の下位の階層である、２つの“グループ管理者”のうち、右側の下位の階層として、２つの“一般ユーザ”が示されている。これは、“グループ管理者”である権限のユーザアカウントでログインしたユーザによって、２つの“一般ユーザ”である権限のユーザアカウントが発行されたことを示す。例えば、支店社員Ｄは、２人の営業所の社員（担当者Ｈ、および担当者Ｉ）に対して、それぞれ、“一般ユーザ”である権限のユーザアカウントを発行する。
【０１２９】
このように、遠隔監視通報システム１においては、権限によって複数の種別のユーザアカウントが存在し、例えば、本社の社員に対して、“端末管理者”である権限を付与し、支店の社員に対して、“グループ管理者”である権限を付与し、担当者に対して、“一般ユーザ”である権限を付与することができる。すなわち、企業内の組織とユーザアカウントの権限とが、相互にリンクして階層構造となっている。
【０１３０】
図８は、図３の遠隔監視通報サーバ１４の記録部５８の機能的構成例を示すブロック図である。
【０１３１】
図８の記録部５８は、センサ情報記録部２０１、気象情報記録部２０２、グループ情報記録部２０３、および監視通報装置情報記録部２０４から構成される。
【０１３２】
センサ情報記録部２０１は、センサ情報管理部１１３から供給されるセンサ情報を記録する。気象情報記録部２０２は、気象情報管理部１１４から供給される気象情報を記録する。グループ情報記録部２０３は、監視通報装置設定部１２３から供給されるグループ情報を記録する。監視通報装置情報記録部２０４は、監視通報装置設定部１２３から供給される監視通報装置情報を記録する。
【０１３３】
図９は、図８のセンサ情報記録部２０１に記録されるセンサ情報の例を示している。
【０１３４】
図９に示すように、センサ情報記録部２０１には、センサ情報が、そのセンサ情報として検知される対象を項目として、その項目に対応付けて記録される。なお、このセンサ情報は、センサ情報を検知する監視通報装置１１の装置ＩＤごとに記録される。また、以下では、センサ情報として検知される対象を、そのセンサ情報の種類ともいう。
【０１３５】
図９では、監視通報装置１１により検知されたセンサ情報であるデマンド値が、デマンド値として検知される対象であるデマンドを項目として、その項目「デマンド」に対応付けて記録される。また、センサ情報の温度値が項目「温度」に、漏洩電流値が項目「漏洩電流」に、内部温度値が項目「内部温度」に対応付けて記録される。
【０１３６】
図１０は、図８の気象情報記録部２０２に記録される気象情報の例を示している。
【０１３７】
図１０に示すように、気象情報記録部２０１には、気象情報が、その気象情報として検知される対象を項目として、その項目に対応付けて記録される。なお、以下では、気象情報として検知される対象を、その気象情報の種類ともいう。
【０１３８】
図１０では、情報提供サーバ１２から送信されてくる気象情報である気温値が、気温値として検知される対象である気温を項目として、その項目「気温」に対応付けて記録される。また、気象情報の湿度値が項目「湿度」に対応付けて記録される。
【０１３９】
図１１は、図８のグループ情報記録部２０３に記録されるグループ情報の例を示している。
【０１４０】
図１１に示すように、グループ情報記録部２０１には、グループ名に、ユーザＩＤ、パスワード、ユーザレベル、権限、および装置ＩＤが対応付けて記録される。遠隔監視通報システム１を使用する契約をしたユーザは、グループ情報記録部２０３に記録されているグループ情報のユーザIDとパスワードとを使用（入力）して、遠隔監視通報システム１にログインする。
【０１４１】
図１１では、ユーザアカウント発行部１２１から供給されるグループ名「グループ＃１」、ユーザID「manager1」、パスワード「manager1」、およびユーザレベル（に対応する具体的な名称「グループ管理者」に対応付けて、権限設定部１２２から供給される権限「グラフ表示」、「管理メニュー」、および「ユーザアカウントの発行」、並びに監視通報装置設定部１２３から供給される装置ＩＤ「１」、「２」、および「３」が記録される。
【０１４２】
ここで、権限「グラフ表示」とは、取得情報を表すグラフを表示させるための画面３００や４００（後述する図１３や図１５など）を表示させる権限であり、権限「管理メニュー」とは、監視通報設定情報を設定するための管理メニュー画面を表示させる権限である。また、権限「ユーザアカウントの発行」とは、ユーザのアカウントを発行する権限である。
【０１４３】
さらに、図１１では、グループ名「サブグループ＃１」、ユーザID「user1」、パスワード「user1」、およびユーザレベルに対応する具体的な名称「一般ユーザ」に対応付けて、権限「グラフ表示」と「管理メニュー」、並びに装置ＩＤ「１」が、グループ名「サブグループ＃２」、ユーザID「user2」、パスワード「user2」、およびユーザレベルに対応する具体的な名称「一般ユーザ」に対応付けて、権限「グラフ表示」と「管理メニュー」、並びに装置ＩＤ「１」、「２」、および「３」が、グループ名「サブグループ＃３」、ユーザID「user3」、パスワード「user3」、およびユーザレベルに対応する具体的な名称「一般ユーザ」に対応付けて、権限「グラフ表示」と「管理メニュー」、並びに装置ＩＤ「３」が、それぞれ記録される。
【０１４４】
図１２は、図８の監視通報装置情報記録部２０４に記録される監視通報装置情報の例を示している。
【０１４５】
図１２に示すように、監視通報装置情報記録部２０４には、監視通報装置１１の装置ＩＤに、施設名および地域名が対応付けて記録される。
【０１４６】
図１２では、装置ＩＤ「１」に、施設名「Ａ店」と地域名「地域Ｐ」が対応付けて記録されている。即ち、装置ＩＤ「１」が付された監視通報装置１１−１は、地域Ｐに存在するＡ店に設けられたセンサ４１からセンサ情報を検知する。また、装置ＩＤ「２」に、施設名「Ｂ店」と地域名「地域Ｑ」が、装置ＩＤ「３」に、施設名「Ｃ工場」と地域名「地域Ｒ」が対応付けて記録されている。
【０１４７】
次に、図１３乃至図１９を参照して、図１のクライアント端末装置１６の出力部５７(図３)に表示される画面について説明する。
【０１４８】
ユーザアカウントとしてユーザＩＤ「user２」が発行されたユーザが、そのユーザＩＤ「user２」とパスワード「user２」を入力してログインを行い、Ａ店のデマンド値の表示を指示する場合、クライアント端末装置１６の出力部５７には、図１３に示す画面３００が表示される。
【０１４９】
画面３００には、項目表示部３１１とデマンド値表示部３１２が表示される。項目表示部３１１には、一覧へ戻るボタン３２１、デマンドボタン３２２、日次ボタン３２３、週次ボタン３２４、月次ボタン３２５、年次ボタン３２６、管理メニューボタン３２７、および漏電ボタン３２８が表示される。
【０１５０】
一覧へ戻るボタン３２１は、画面３００の表示を終了するときに操作される。デマンドボタン３２２は、日次ボタン３２３、週次ボタン３２４、月次ボタン３２５、および年次ボタン３２６を表示させるときに操作される。日次ボタン３２３、週次ボタン３２４、月次ボタン３２５ボタン、または年次ボタン３２６は、それぞれ日単位、週単位、月単位、年単位のデマンド値を表すグラフを、デマンド値表示部３１２に表示させるときに操作される。なお、図１３においては、日次ボタン３２３が操作されている。
【０１５１】
管理メニューボタン３２７は、監視通報設定情報を設定するための管理メニュー画面を表示させるときに操作される。漏電ボタン３２８は、漏洩電流値を表すグラフを表示させるときに操作される。
【０１５２】
デマンド値表示部３１２には、計測データ設定部３４１、比較データ設定部３４２、グラフ表示部３４３、および計測データ表示部３４４が表示される。図１３では、日次ボタン３２３が操作されているので、計測データ設定部３４１には、グラフ表示部３４３において表示対象とするデマンド値が検知された日付を選択(設定)するための日付選択部３５１が表示される。
【０１５３】
日付選択部３５１には、左方向ボタン３５１Ａと右方向ボタン３５１Ｂ、日付表示部３５１Ｃ、および移動ボタン３５１Ｄが表示される。左方向ボタン３５１Ａまたは右方向ボタン３５１Ｂは、それぞれ、表示対象とするデマンド値が検知された日付を、いま設定されている日付（日付表示部３５１Ｃに表示されている日付）より１日前または１日後にするときに操作される。
【０１５４】
日付表示部３５１Ｃには、いま設定されている表示対象とするデマンド値が検知された日付が表示される。移動ボタン３５１Ｄは、ユーザにより日付表示部３５１Ｃに直接入力された日付を、表示対象とするデマンド値が検知された日付として設定するときに操作される。図１３では、表示対象とするデマンド値の検知された日付として「２００５年３月２２日」が設定されている。いまの場合、ユーザによりＡ店のデマンド値の表示が指示されているので、表示対象は２００５年３月２２日にＡ店において検知されたデマンド値となる。
【０１５５】
なお、ユーザにより日次ボタン３２３ではなく、週次ボタン３２４、月次ボタン３２５、または年次ボタン３２６が操作される場合、日付選択部３４１には、デマンド値が検知された週、月、または年を選択するための選択部が表示される。この場合、左方向ボタン３５１Ａと右方向ボタン３５１Ｂは、表示対象とするデマンド値の検知された週、月、または年を、いま設定されているものより、週、月、または年単位で前後に変更するときに操作される。また、日付表示部３５１Ｃには、デマンド値が検知された週、月、または年が表示される。
【０１５６】
比較データ設定部３４２には、日付選択部３５２、設定監視通報装置表示部３５３−１、設定取得情報表示部３５３−２、および重ね合わせボタン３５４が表示される。
【０１５７】
日付選択部３５２には、日付選択部３５１と同様に、左方向ボタン３５２Ａと右方向ボタン３５２Ｂ、日付表示部３５２Ｃ、および移動ボタン３５２Ｄが表示される。日付選択部３５２は、グラフ表示部３４３に、計測データ設定部３４１で設定された日付に検知されたデマンド値と他の取得情報を重ね合わせて表すグラフを表示させる場合に、その取得情報が検知された日時を設定するとき操作される。
【０１５８】
なお、以下では、グラフ表示部３４３において、計測データ設定部３４１において設定された日付に検知されたデマンド値を元情報といい、その元情報に重ね合わせて表示させる他の取得情報を比較情報という。図１３では、比較情報とするセンサ情報を検知した日付が「２００５年３月２２日」に設定されている。
【０１５９】
設定監視通報装置表示部３５３−１には、比較情報とする取得情報が検知された施設の施設名が表示される。設定センサ情報表示部３５３−２には、比較情報とする取得情報の種類（例えば、デマンド、温度など）が表示される。なお、図１３においては、比較情報に対応する施設名および取得情報の種類が設定されておらず、設定監視通報装置表示部３５３−１と設定センサ情報表示部３５３−２には、「未設定」という文字が表示されている。
【０１６０】
重ね合わせボタン３５４は、比較情報とする取得情報が検知される施設の施設名、または比較情報とする取得情報の種類を設定するための重ね合わせ画面４００（後述する図１４）を表示させるときに操作される。
【０１６１】
グラフ表示部３４３には、元情報を表すグラフ、または元情報と比較情報を重ね合わせて表すグラフが、日付、週、月、または年単位で表示される。図１３においては、比較情報に対応する施設名と取得情報の種類が設定されていないので、元情報である２００５年３月２２日にＡ店において検知されたデマンド値が日単位で表示される。計測データ表示部３４４には、元情報であるデマンド値(平均使用電力値)が、そのデマンド値が検知された時刻に対応付けて表示される。
【０１６２】
図１３において、ユーザが重ね合わせボタン３５４を操作した場合、クライアント端末装置１６の出力部５７には、図１４や図１５に示す重ね合わせ画面４００が表示される。
【０１６３】
図１４や図１５に示すように、重ね合わせ画面４００には、施設名選択部４１１、種類選択部４１２、重ね合わせボタン４１３、および閉じるボタン４１４が表示される。
【０１６４】
施設名選択部４１１は、比較情報が検知された監視通報装置１１に対応する施設名を選択するときに操作される。ユーザが施設名選択部４１１を操作した場合、施設名選択部４１１には、ユーザにより入力されたユーザＩＤとパスワードに対応するグループに属する施設の施設名が表示される。
【０１６５】
具体的には、図１４の例の場合、ユーザによりユーザＩＤ「user2」とパスワード「user2」が入力されているので、監視通報装置設定部１２３が、グループ情報記録部２０３に記録されているグループ情報（図１１）から、そのユーザＩＤとパスワードに対応する装置ＩＤ「１」、「２」、および「３」を抽出する。そして、監視通報装置設定部１２３は、監視通報装置情報記録部２０４に記録されている監視通報装置情報（図１２）から、その装置ＩＤ「１」、「２」、および「３」に対応する施設名「Ａ店」、「Ｂ店」、および「Ｃ工場」を抽出し、表示情報生成部１１５に供給する。
【０１６６】
表示情報生成部１１５は、監視通報装置設定部１２３から供給される施設名「Ａ店」、「Ｂ店」、および「Ｃ工場」に基づいて、施設名選択部４１１に「重ね合わせなし」、並びに施設名「Ａ店」、「Ｂ店」、および「Ｃ工場」が表示されるように、重ね合わせ画面４００を表示させるための表示情報を生成し、送信部１１６を介してクライアント端末装置１６に送信する。その結果、クライアント端末装置１６の出力部５７に表示される重ね合わせ画面４００には、図１４に示すように、施設名選択部４１１に「重ね合わせなし」、並びに施設名「Ａ店」、「Ｂ店」、および「Ｃ工場」が表示される。
【０１６７】
ユーザは、図１４の重ね合わせ画面４００に表示される「重ね合わせなし」、「Ａ店」、「Ｂ店」、および「Ｃ工場」のうち、いずれか１つをクライアント端末装置１６の入力部５６を操作することにより選択し、比較情報が検知されたクライアント端末装置１６に対応する施設名として設定する。なお、「重ね合わせなし」が選択される場合、比較情報に対応する施設名は設定されない。図１４では、ユーザによりＢ店が選択されている。
【０１６８】
また、種類選択部４１２は、比較情報とする取得情報の種類を選択するときに操作される。ユーザが、重ね合わせ画面４００において、種類選択部４１２を操作する場合、ユーザにより入力されたユーザＩＤとパスワードに対応するグループに属する施設において検出された取得情報が表示される。種類選択部４１１には、図１５に示すように温度、内部温度、湿度、気温、およびデマンドが表示される。
【０１６９】
具体的には、図１４の例の場合、上述したように、ユーザＩＤとパスワードに対応する装置ＩＤは、装置ＩＤ「１」、「２」、および「３」である。即ち、装置ＩＤ「１」、「２」、および「３」が付された監視通報装置１１−１乃至１１−３は、ユーザＩＤとパスワードに対応するサブグループ＃２に属する施設において検出されたセンサ情報を取得する。
【０１７０】
センサ情報管理部１１３は、センサ情報記録部２０１に記録されているセンサ情報（図９）から、装置ＩＤ「１」、「２」、および「３」に対応するセンサ情報を抽出し、さらに、そのセンサ情報に対応付けられている項目を抽出する。図１５の例の場合、装置ＩＤ「１」、「２」、および「３」に対応するセンサ情報が、項目「デマンド」、「温度」、および「内部温度」であり、センサ情報管理部１１３は、それらを表示情報生成部１１５に供給する。
【０１７１】
また、監視通報装置設定部１２３は、監視通報装置情報記録部２０４に記録されている監視通報装置情報（図１２）から、装置ＩＤ「１」と「２」に対応する地域の「地域Ｐ」、「地域Ｑ」、および「地域Ｒ」を抽出し、気象情報管理部１１４に供給する。気象情報管理部１１４は、気象情報記録部２０２に記録されている気象情報（図１０）から、地域Ｐ、Ｑ、およびＲに対応する気象情報の項目を抽出する。図１５の例の場合、地域Ｐ、Ｑ、およびＲに対応する気象情報の項目が、項目「気温」と「湿度」であり、気象情報管理部１１４は、それらを表示情報生成部１１５に供給する。
【０１７２】
表示情報生成部１１５は、センサ情報管理部１１３からの項目「デマンド」、「温度」、および「内部温度」、並びに気象情報管理部１１４からの項目「気温」と「湿度」に基づいて、種類選択部４１２に項目「温度」、「内部温度」、「湿度」、「気温」、および「デマンド」が表示されるように、重ね合わせ画面４００を表示させるための表示情報を生成し、送信部１１６を介してクライアント端末装置１６に送信する。その結果、クライアント端末装置１６の出力部５７に表示される重ね合わせ画面４００には、図１５に示すように、施設名選択部４１１に項目「温度」、「内部温度」、「湿度」、「気温」、および「デマンド」が表示される。
【０１７３】
ユーザは、図１５の重ね合わせ画面４００に表示される項目「温度」、「内部温度」、「湿度」、「気温」、および「デマンド」のうち、いずれか１つをクライアント端末装置１６の入力部５６を操作することにより選択し、比較情報とする取得情報の種類として設定する。図１５では、ユーザによりデマンドが選択されている。
【０１７４】
重ね合わせボタン４１３は、施設名選択部４１１と種類選択部４１２でそれぞれ選択された施設名と取得情報の種類を決定するときに操作される。また、閉じるボタン４１４は、重ね合わせ画面４００の表示を終了するときに操作される。
【０１７５】
ユーザが、図１４に示すように施設名選択部４１１でＢ店を選択するとともに、図１５に示すように種類選択部４１２でデマンドを選択し、重ね合わせボタン４１３を操作して選択した施設名と取得情報の種類を決定した場合、クライアント端末装置１６の出力部５７には、図１６に示す画面５００が表示される。
【０１７６】
図１６の画面５００では、設定監視通報装置表示部３５３−１に、ユーザにより選択された施設名であるＢ店が、設定センサ情報表示部３５３−２に、ユーザにより選択された取得情報の種類であるデマンドが表示される。
【０１７７】
また、グラフ表示部３４３には、元情報である２００５年３月２２日にＡ店で検知されたデマンド値と、比較情報である２００５年３月２２日にＢ店で検知されたデマンド値を重ね合わせて表すグラフが表示される。
【０１７８】
これにより、ユーザは、自分自身に発行されたユーザアカウントに権限「グラフ表示」が付与されているサブグループ＃２に属するＡ店とＢ店のデマンド値を容易に比較することができる。換言すれば、遠隔監視通報サーバ１４は、図１６の画面５００を表示させるための表示情報を生成することにより、ユーザがデマンド値（電力の情報）を視認するために最適な表示を行うことができる。
【０１７９】
一方、ユーザが、図１４に示すように施設名選択部４１１でＢ店を選択するとともに、種類選択部４１２で温度を選択し、重ね合わせボタン４１３を操作して選択した施設名と取得情報の種類を決定した場合、クライアント端末装置１６の出力部５７には、図１７に示す画面５００が表示される。
【０１８０】
図１７の画面５００では、設定監視通報装置表示部３５３−１に、ユーザにより選択された施設名であるＢ店が、設定センサ情報表示部３５３−２に、ユーザにより選択された取得情報の種類である温度が表示される。
【０１８１】
また、グラフ表示部３４３には、元情報である２００５年３月２２日にＡ店で検知されたデマンド値と、比較情報である２００５年３月２２日にＢ店で検知された温度値を重ね合わせて表すグラフが表示される。このように、グラフ表示部３４３には、異なる種類の取得情報も重ね合わせて、１つのグラフとして表示することができる。
【０１８２】
例えば、一般的に、気温値が高い場合、店舗に設置されているエアーコンディショナ（エアコン）における消費電力が高くなり、デマンド値が上がるなど、気温値と店舗のデマンド値との関係性は強いため、ユーザは、その関係性を認識したい場合がある。
【０１８３】
この場合、図示はしないが、例えば、比較情報を２００５年３月２２日にＡ店の存在する地域の気温値として、元情報である２００５年３月２２日にＡ店で検知されたデマンド値と重ね合わせて、グラフ表示部３４３に、１つのグラフとして表示させることにより、ユーザは、その関係性を容易に視認することができる。
【０１８４】
次に、ユーザアカウントとしてユーザＩＤ「user３」が発行されたユーザが、そのユーザＩＤ「user３」とパスワード「user３」を入力してログインを行い、Ｃ工場のデマンド値の表示を指示する場合、クライアント端末装置１６の出力部５７には、図１８に示す画面３００が表示される。
【０１８５】
図１８では、ユーザは、計測データ設定部３４１において、２００５年３月２２日を選択している。即ち、画面３００のグラフ表示部３４３には、Ｃ工場において２００５年３月２２日に検知されたデマンド値が、元情報として表示される。なお、２００５年３月２２日は工場が稼動している平日であるものとする。
【０１８６】
ここで、ユーザが、日付選択部３５２の右方向ボタン３５２Ａを２回操作して、２００５年３月２０日を選択し、ユーザが重ね合わせボタン３５４を操作する。そして、その結果表示される重ね合わせ画面４００（図１４や図１５）の施設名選択部４１１でＣ工場を、種類選択部４１２でデマンドを選択した場合、クライアント端末装置１６の出力部５７には、図１９の画面３００が表示される。なお、２００５年３月２０日はＣ工場が稼動していない休日であるものとする。
【０１８７】
図１９では、画面３００の日付表示部３５２Ｃに、２００５年３月２０日が表示される。また、設定監視通報装置表示部３５３−１には、ユーザにより選択された施設名であるＣ工場が、設定センサ情報表示部３５３−２に、ユーザにより選択された取得情報の種類であるデマンドが表示される。
【０１８８】
また、グラフ表示部３４３には、元情報であるＣ工場において２００５年３月２２日に検知されたデマンド値と、比較情報であるＣ工場において２００５年３月２０日に検知されたデマンド値を重ね合わせて表すグラフが表示される。これにより、ユーザは、Ｃ工場が稼動している２００５年３月２２日のデマンド値と、Ｃ工場が稼動していない２００５年３月２０日のデマンド値を容易に比較することができる。その結果、ユーザは、例えば、Ｃ工場が稼動していないときにも消費されるデマンドの量をデフォルト（初期値）として、Ｃ工場が稼動しているときに実質的に消費されるデマンドの量を容易に認識することができる。
【０１８９】
次に、図２０を参照して、クライアント端末装置１６によるグラフ表示処理を説明する。このグラフ表示処理は、例えば、ユーザがクライアント端末装置１６の入力部５６を操作して、元情報とする取得情報が検知された施設の施設名を入力し（所望の施設のデマンド値の表示を指示し）、日次ボタン３２３を操作したとき開始される。なお、ユーザＩＤとパスワードは、事前に入力され、遠隔監視通報サーバ１４に送信されているものとする。
【０１９０】
ステップＳ１において、コマンド生成部１６３は、入力制御部１６２から供給される、ユーザのクライアント端末装置１６の入力部５６の操作に対応する操作信号に基づいて、元情報の表示を指示するコマンドを生成し、送信部１６４を介して遠隔監視通報サーバ１４に送信する。なお、このコマンドには、ユーザにより入力された施設名、初期値として設定されている日付、および日次ボタン３２３に対応する表示単位としての日付が付加されている。日付の初期値としては、例えば日次ボタン３２３が操作された日付が設定される。
【０１９１】
ステップＳ１の処理後は、ステップＳ２に進み、受信部１６５は、ステップＳ１で送信したコマンドに対応して遠隔監視通報サーバ１４から送信されてくる画面３００を表示させるための表示情報（以下、元表示情報という）が受信されたかどうかを判定し、受信されていない場合、受信されるまで待機する。
【０１９２】
ステップＳ２において、元表示情報が受信されたと判定された場合、受信部１６５は受信した元表示情報を表示制御部１６１に供給して、ステップＳ３に進み、表示制御部１６１は、その元表示情報に基づいて、画面３００をクライアント端末装置１６の出力部５７に表示させる。
【０１９３】
ステップＳ３の処理後は、ステップＳ４に進み、入力制御部１６２は、ユーザにより重ね合わせ画面４００の表示が指示されたかどうか、即ちユーザがクライアント端末装置１６の入力部５６を操作することにより重ね合わせボタン３５４を操作したかどうかを判定する。
【０１９４】
ステップＳ４において、重ね合わせ画面４００の表示が指示されたと判定された場合、入力制御部１６２は、その操作に対応する操作信号をコマンド生成部１６３に供給し、ステップＳ５に進む。ステップＳ５において、コマンド生成部１６３は、その操作信号に対応して、重ね合わせ画面４００の表示を指示するコマンドを生成し、送信部１６４を介して、遠隔監視通報サーバ１４に送信し、ステップＳ６に進む。
【０１９５】
ステップＳ６において、受信部１６５は、ステップＳ５で送信されたコマンドに対応して遠隔監視通報サーバ１４から送信されてくる重ね合わせ画面４００を表示させるための表示情報(以下、重ね合わせ画面表示情報という)が受信されたかどうか判定し、重ね合わせ画面表示情報が受信されていないと判定された場合、重ね合わせ画面表示情報が受信されるまで待機する。
【０１９６】
ステップＳ６において、重ね合わせ画面表示情報が受信されたと判定された場合、受信部１６５は受信した重ね合わせ画面表示情報を表示制御部１６１に供給して、ステップＳ７に進み、表示制御部１６１は、その重ね合わせ画面表示情報に基づいて、重ね合わせ画面４００をクライアント端末装置１６の出力部５７に表示させる。
【０１９７】
ここで、ユーザは、クライアント端末装置１６の入力部５６を操作して、ステップＳ７で表示された重ね合わせ画面４００の施設名選択部４１１または種類選択部４１２を操作し、所望の施設名または取得情報の種類を選択し、重ね合わせボタン４１３を操作することにより、その選択した施設名または取得情報の種類を、比較情報とする取得情報が検知された施設の施設名または取得情報の種類として設定する。
【０１９８】
ステップＳ７の処理後は、ステップＳ８に進み、入力制御部１６２は、ユーザにより表示の終了が指示されたかどうか、即ちユーザにより一覧へ戻るボタン３２１が操作されたかどうかを判定し、ユーザにより表示の終了が指示されていないと判定された場合、ステップＳ４に戻る。一方、ステップＳ８において、ユーザにより表示の終了が指示されたと判定された場合、処理は終了する。
【０１９９】
また、ステップＳ４において、ユーザにより重ね合わせ画面４００の表示が指示されていないと判定された場合、ステップＳ９に進み、入力制御部１６２は、ユーザにより、比較情報とする取得情報が検知された施設の施設名または取得情報の種類の設定が指示されたかどうか、即ちユーザによりステップＳ７で表示された重ね合わせ画面４００の重ね合わせボタン４１３が操作されたかどうかを判定する。
【０２００】
ステップＳ９において、ユーザにより比較情報とする取得情報が検知された施設の施設名と取得情報の種類の設定が指示されたと判定された場合、入力制御部１６２は、その操作に対応する操作信号をコマンド生成部１６３に供給し、ステップＳ１０に進む。ステップＳ１０において、コマンド生成部１６３は、その操作信号に対応して、比較情報の設定を指示するコマンドを生成し、送信部１６４を介して、遠隔監視通報サーバ１４に送信する。なお、このコマンドには、ユーザにより設定が指示された施設名と取得情報の種類、並びに日付表示部３５２Ｃに表示されている日付が付加されている。
【０２０１】
ステップＳ１０の処理後は、ステップＳ１１に進み、受信部１６５は、ステップＳ１０で送信されたコマンドに対応して遠隔監視通報サーバ１４から送信されてくる画面５００（図１６など）を表示させるための表示情報（以下、比較表示情報という）が受信されたかどうか判定し、比較表示情報が受信されていないと判定された場合、比較表示情報が受信されるまで待機する。
【０２０２】
ステップＳ１１において、比較表示情報が受信されたと判定された場合、受信部１６５は受信した比較表示情報を表示制御部１６１に供給して、ステップＳ１２に進み、表示制御部１６１は、その比較表示情報に基づいて、画面５００をクライアント端末装置１６の出力部５７に表示させる。ステップＳ１２の処理後は、ステップＳ８に進み、入力制御部１６２は、上述した処理を行う。
【０２０３】
一方、ステップＳ９において、ユーザにより比較情報の設定が指示されていないと判定された場合、ステップＳ１３に進み、入力制御部１６２は、ユーザにより日付が選択されたかどうか、即ちユーザによりステップＳ３で表示された画面３００またはステップＳ１２で表示された画面５００の日付選択部３５１または３５２が操作されたかどうかを判定する。
【０２０４】
ステップＳ１３において、ユーザにより日付が選択されたと判定された場合、入力制御部１６２は、その操作に対応する操作信号をコマンド生成部１６３に供給し、ステップＳ１４に進む。ステップＳ１４において、コマンド生成部１６３は、その操作信号に対応して、元情報または比較情報が検知された日付の選択を指示するコマンドを生成し、送信部１６４を介して、遠隔監視通報サーバ１４に送信し、ステップＳ１５に進む。
【０２０５】
ステップＳ１５において、受信部１６５は、ステップＳ１４で送信されたコマンドに対応して遠隔監視通報サーバ１４から送信されてくる元表示情報または比較表示情報が受信されたかどうか判定する。
【０２０６】
ステップＳ１５において、元表示情報または比較表示情報が受信されたと判定された場合、受信部１６５は受信した元表示情報または比較表示情報を表示制御部１６１に供給して、ステップＳ１６に進み、表示制御部１６１は、その元表示情報または比較表示情報に基づいて、画面３００または５００をクライアント端末装置１６の出力部５７に表示させる。ステップＳ１６の処理後は、ステップＳ８に進み、入力制御部１６２は上述した処理を行う。
【０２０７】
一方、ステップＳ１３において、ユーザにより日付が選択されていないと判定された場合、またはステップＳ１５において、元表示情報または比較表示情報が受信されていないと判定された場合、ステップＳ８に進み、入力制御部１６２は上述した処理を行う。
【０２０８】
なお、図２０では、ユーザにより日次ボタン３２３が操作された場合に行われるグラフ表示処理について説明したが、週次ボタン３２４、月次ボタン３２５、または年次ボタン３２６が操作された場合においても、同様にグラフ表示処理が行われる。この場合、ステップＳ１において、元情報の表示を指示するコマンドに、施設名、初期値として設定されている週、月、または年、および表示単位としての週、月、または年が付加されて送信される。
【０２０９】
次に、図２１を参照して、図１の遠隔監視通報サーバ１４による表示情報送信処理を説明する。この表示情報送信処理は、例えば、図２０のステップＳ１で、監視通報装置１１により送信された元情報の表示を指示するコマンドが受信されたとき開始される。
【０２１０】
ステップＳ２１は、コマンド解析部１１１は、受信部１１７により受信されるコマンドを解析し、そのコマンドに付加されている施設名を監視通報装置設定部１２３に、日付および表示単位としての日付をセンサ情報管理部１１３に供給して、ステップＳ２２に進む。
【０２１１】
ステップＳ２２において、監視通報装置設定部１２３は、コマンド解析部１１１からの施設名に基づいて、監視通報装置情報記録部２０４に記録されている監視通報装置情報（図１２）から、その施設名に対応する装置ＩＤを抽出し、センサ情報管理部１１３に供給する。
【０２１２】
例えば、ユーザによりＡ店のデマンドの表示が指示された場合、監視通報装置設定部１２３は、監視通報装置情報から、Ａ店に対応する装置ＩＤ「１」を抽出し、センサ情報管理部１１３に供給する。
【０２１３】
ステップＳ２２の処理後は、ステップＳ２３に進み、センサ情報管理部１１３は、監視通報装置設定部１２３からの装置ＩＤ、並びにコマンド解析部１１１からの日付および表示単位である日付に基づいて、センサ情報記録部２０１に記録されているセンサ情報（図９）から、その装置ＩＤに対応するデマンド値のうち、コマンド解析部１１１からの日付に検知されたデマンド値を抽出し、表示情報生成部１１５に供給する。
【０２１４】
ステップＳ２３の処理後は、ステップＳ２４に進み、表示情報生成部１１５は、センサ情報管理部１１３からのデマンド値に基づいて、画面３００を表示させるための元表示情報を生成し、送信部１１６を介して監視通報装置１１に送信する。この元表示情報は、図２０のステップＳ２で受信され、その結果、図２０のステップＳ３においてクライアント端末装置１６の出力部５７に画面３００が表示される。従って、ステップＳ２４において、表示情報生成部１１５は、元表示情報を送信することにより、クライアント端末装置１６の出力部５７に画面３００を表示させるといえる。
【０２１５】
ステップＳ２４の処理後は、ステップＳ２５に進み、コマンド解析部１１１は、重ね合わせ画面４００の表示が指示されたかどうか、即ち図２０のステップＳ５で送信される重ね合わせ画面の表示を指示するコマンドを受信部１１７を介して受信したかどうかを判定する。
【０２１６】
ステップＳ２５において、重ね合わせ画面４００の表示が指示されたと判定された場合、ステップＳ２６に進み、監視通報装置設定部１２３は、クライアント端末装置１６から事前に受信しているユーザＩＤとパスワードに基づいて、グループ情報記録部２０３に記録されているグループ情報から、そのユーザＩＤとパスワードに対応する装置ＩＤを抽出し、センサ情報管理部１１３に供給する。
【０２１７】
例えば、ユーザによりユーザＩＤ「user2」とパスワード「user2」が入力されている場合、監視通報装置設定部１２３は、グループ情報から、そのユーザＩＤとパスワードに対応する装置ＩＤ「１」、「２」、および「３」を抽出し、センサ情報管理部１１３に供給する。
【０２１８】
ステップＳ２６の処理後は、ステップＳ２７に進み、センサ情報管理部１１３は、監視通報装置設定部１２３からの装置ＩＤに対応して、センサ情報記録部２０１に記録されているセンサ情報に対応する項目を抽出し、表示情報生成部１１５に供給して、ステップＳ２８に進む。
【０２１９】
ステップＳ２８において、監視通報装置設定部１２３は、監視通報装置情報記録部２０４に記録されている監視通報装置情報から、ステップＳ２６で抽出した装置ＩＤに対応する施設名と地域名を抽出し、施設名を表示情報生成部１１５に、地域名を気象情報管理部１１４に供給する。
【０２２０】
例えば、ステップＳ２６で装置ＩＤ「１」、「２」、および「３」が抽出される場合、監視通報装置設定部１２３は、監視通報装置情報から、それらの装置ＩＤに対応する施設名「Ａ店」、「Ｂ店」、および「Ｃ工場」を表示情報生成部１１５に、地域名「地域Ｐ」、「地域Ｑ」、および「地域Ｒ」を気象情報管理部１１４に供給する。
【０２２１】
ステップＳ２８の処理後は、ステップＳ２９に進み、気象情報管理部１１４は、気象情報記録部２０２に記録されている気象情報から、監視通報装置設定部１２３から供給される地域名の地域で検知された気象情報に対応する項目を抽出し、表示情報生成部１１５に供給する。
【０２２２】
ステップＳ２９の処理後は、ステップＳ３０に進み、表示情報生成部１１５は、センサ情報管理部１１３からの項目、気象情報管理部１１４からの項目、および監視通報装置設定部１２３からの施設名に基づいて、重ね合わせ画面４００を表示させるための重ね合わせ画面表示情報を生成する。即ち、表示情報生成部１１５は、監視通報装置設定部１２３からの施設名が施設名選択部４１１に、センサ情報管理部１１３と気象情報管理部１１４からの項目が種類選択部４１２に表示されるように、重ね合わせ画面表示情報を生成する。そして、表示情報生成部１１５は、重ね合わせ画面表示情報を、送信部１１６を介して、クライアント端末装置１６に送信する。
【０２２３】
ステップＳ３０の処理後は、ステップＳ３１に進み、コマンド解析部１１１は、比較情報の設定が指示されたかどうか、即ち図２０のステップＳ９で送信される比較情報の設定を指示するコマンドを受信部１１７を介して受信したかどうかを判定し、比較情報の設定が指示されていないと判定した場合、比較情報の設定が指示されるまで待機する。なお、比較情報の設定が指示されていない場合において、ユーザの閉じるボタン４１４の操作に対応するコマンドがクライアント端末装置１６から受信されたときは、コマンド解析部１１１は待機せずに、ステップＳ３６に進む。
【０２２４】
ステップＳ３１において、比較情報の設定が指示されたと判定された場合、即ち比較情報の設定を指示するコマンドが受信されたと判定された場合、コマンド解析部１１１は、そのコマンドを解析して、コマンドに付加された施設名を監視通報装置設定部１２３に、取得情報の種類および日付をセンサ情報管理部１１３と気象情報管理部１１４に、施設名、取得情報の種類、および日付を表示情報生成部１１５に供給し、ステップＳ３２に進む。
【０２２５】
ステップＳ３２において、監視通報装置設定部１２３は、監視通報装置情報記録部２０４に記録されている監視通報装置情報から、コマンド解析部１１１からの施設名に対応する装置ＩＤと地域名を抽出し、装置ＩＤをセンサ情報管理部１１３に、地域名を気象情報管理部１１４に供給する。
【０２２６】
ステップＳ３２の処理後は、ステップＳ３３に進み、センサ情報管理部１１３または気象情報管理部１１４は、コマンド解析部１１１からの取得情報の種類および日付に基づいて、センサ情報または気象情報を抽出する。
【０２２７】
具体的には、コマンド解析部１１１からの取得情報の種類が、センサ情報の種類である場合、センサ情報管理部１１３は、コマンド解析部１１１からの取得情報の種類と日付、並びに監視通報装置設定部１２３から装置ＩＤに基づいて、センサ情報記録部２０１に記録されている、その装置ＩＤのセンサ情報から、取得情報の種類と同一の項目のセンサ情報を抽出し、さらに、そのセンサ情報のうち、コマンド解析部１１１からの日付に検知されたセンサ情報を抽出し、表示情報生成部１１５に供給する。
【０２２８】
一方、コマンド解析部１１１からの情報の種類が、気象情報の種類である場合、気象情報管理部１１４は、コマンド解析部１１１からの取得情報の種類と日付、並びに監視通報装置設定部１２３からの地域名に基づいて、気象情報記録部２０２に記録されている、その取得情報の種類と同一の項目の気象情報から、コマンド解析部１１１からの日付に、監視通報装置設定部１２３からの地域名の地域で検知された気象情報を抽出し、表示情報生成部１１５に供給する。
【０２２９】
ステップＳ３３の処理後は、ステップＳ３４に進み、表示情報生成部１１５は、コマンド解析部１１１からの施設名、取得情報の種類、および日付、並びにセンサ情報管理部１１３からのセンサ情報または気象情報管理部１１４からの気象情報に基づいて、画面５００を表示させるための比較表示情報を生成し、送信部１１６を介してクライアント端末装置１６に送信して、ステップＳ２５に戻る。
【０２３０】
一方、ステップＳ２５において、重ね合わせ画面４００の表示が指示されていないと判定された場合、ステップＳ３５に進み、コマンド解析部１１１は、ステップＳ３１で既に比較情報の設定が指示されているかを判定し、既に比較情報の設定が指示されていると判定された場合、ステップＳ３６に進む。
【０２３１】
ステップＳ３６において、コマンド解析部１１１は、比較情報に対応する日付が選択されているかどうか、即ち図２０のステップＳ１４で比較情報に対応する日付の選択を指示するコマンドを受信部１１７を介して受信したかどうかを判定し、比較情報に対応する日付が選択されたと判定した場合、その日付をセンサ情報管理部１１３と気象情報管理部１１４に供給し、ステップＳ３３に進む。
【０２３２】
また、ステップＳ３６において、比較情報に対応する日付が選択されていないと判定された場合、ステップＳ２５に戻る。
【０２３３】
一方、ステップＳ３５において、既に比較情報の設定が指示されていないと判定された場合、ステップＳ３７に進み、コマンド解析部１１１は、元情報に対応する日付が選択されたかどうか、即ち図２０のステップＳ１４で元情報に対応する日付の選択を指示するコマンドを受信部１１７を介して受信したかどうかを判定し、元情報に対応する日付が選択されたと判定した場合、その日付をセンサ情報管理部１１３に供給して、ステップＳ２３に戻り、上述した処理を繰り返す。
【０２３４】
また、ステップＳ３６において、元情報に対応する日付が選択されていないと判定された場合、処理はステップＳ２５に戻る。
【０２３５】
図２２と図２３は、重ね合わせ画面４００の他の例を示している。
【０２３６】
図２２と図２３の重ね合わせ画面４００には、施設名選択部４１１、種類選択部４１２、重ね合わせボタン４１３、閉じるボタン４１４、キーワード入力部５１１、および検索ボタン５１２が表示されている。なお、図１４や図１５と同一のものには、同一の符号を付してある。
【０２３７】
キーワード入力部５１１には、施設名選択部４１に表示される施設名を絞り込むキーワードが入力される。検索ボタン５１２は、キーワード入力部５１１に入力されたキーワードを設定するときに操作される。
【０２３８】
図２２では、ユーザは、キーワード入力部５１１に、キーワード「気温」を入力している。なお、図２２において、地域Ｐと地域Ｑの気温値は同一であるものとし、ユーザにより、事前にユーザＩＤ「user２」とパスワード「user２」が入力されているものとする。また、ユーザはＡ店のデマンド値を元情報として設定しているものとする。
【０２３９】
ここで、ユーザが検索ボタン５１２を操作すると、図２２の重ね合わせ画面４００の施設名選択部４１１に表示される施設名が変更される。このとき、ユーザが施設名選択部４１１を操作する場合、図２３に示す重ね合わせ画面４００が表示される。
【０２４０】
具体的には、監視通報装置設定部１２３は、監視通報装置情報記録部２０４に記録されている監視通報装置情報から、いま元情報として設定されているデマンド値に対応するＡ店に対応する地域Ｐを抽出し、気象情報管理部１１４に供給する。気象情報管理部１１４は、キーワード「気温」に応じて、気象情報記録部２０２に記録されている気象情報の項目「気温」に対応する気温値のうち、気象情報管理部１１４から供給される地域Ｐの地域の気温値と同一（または同程度）の気温値が検知された地域Ｑを抽出し、監視通報装置設定部１２３に供給する。
【０２４１】
監視通報装置設定部１２３は、監視通報装置情報記録部２０４に記録されている監視通報装置情報から、気象情報管理部１１４から供給される地域Ｑに対応する装置ＩＤ「２」を抽出する。そして、監視通報装置設定部１２３は、グループ情報記録部２０３に記録されているグループ情報から、抽出した装置ＩＤのうち、ユーザにより事前に入力されたユーザＩＤ「user2」とパスワード「user2」に対応する装置ＩＤ「２」を抽出する。さらに、監視通報装置設定部１２３は、監視通報装置情報記録部２０４に記録されている監視通報装置情報から、その装置ＩＤ「２」に対応する施設名「Ｂ店」を抽出し、表示情報生成部１１５に供給する。
【０２４２】
表示情報生成部１１５は、監視通報装置設定部１２３からの施設名「Ｂ店」に基づいて、その施設名「Ｂ店」と元情報に対応する施設名「Ａ店」とが施設名選択部４１１に表示されるように、重ね合わせ画面４００を表示するための重ね合わせ画面情報を送信部１１６を介して送信する。その結果、クライアント端末装置１６の出力部５７には、図２３に示す重ね合わせ画面４００が表示される。
【０２４３】
以上のように、図２２と図２３の重ね合わせ画面４００が表示される場合、遠隔監視通報サーバ１４は、キーワード入力部５１１に入力されるキーワードを用いて施設名選択部４１１に表示させる施設名を絞り込むので、施設名選択部４１１に表示される施設名の数を削減することができる。その結果、ユーザは、施設名選択部４１１から所望の施設名を容易に選択することができる。
【０２４４】
次に、図２４を参照して、遠隔監視通報サーバ１４における検索処理を説明する。この検索処理は、例えば、クライアント端末装置１６から検索を指示するコマンドが受信されたとき、開始される。なお、図２４では、キーワードを「気温」とする検索を指示するコマンドが受信されたときに行われる検索処理について説明する。
【０２４５】
ステップＳ５１において、コマンド解析部１１１は、クライアント端末装置１６から受信部１１７を介して受信されるコマンドを解析し、キーワード「気温」に基づいて、そのコマンドに対応する指示を気象情報管理部１１４と監視通報装置設定部１２３に供給する。
【０２４６】
ステップＳ５１の処理後は、ステップＳ５２に進み、監視通報装置設定部１２３は、コマンド解析部１１１からの指示に応じて、監視通報装置情報記録部２０４から、いま元情報として設定されているデマンド値に対応する施設名に対応する地域を抽出し、気温情報管理部１１４に供給して、ステップＳ５３に進む。
【０２４７】
ステップＳ５３において、気象情報管理部１１４は、コマンド解析部１１１からの指示に応じて、気象情報記録部２０２に記録されている気象情報の項目「気温」に対応する気温値のうち、気象情報管理部１１４により抽出される（気象情報管理部１１４から供給される）地域の気温値と同一（または同程度）の気温値が検知された地域を抽出し、監視通報装置設定部１２３に供給する。
【０２４８】
ステップＳ５３の処理後は、ステップＳ５４に進み、監視通報装置設定部１２３は、監視通報装置情報記録部２０４に記録されている監視通報装置情報から、気象情報管理部１１４から供給される地域に対応する装置ＩＤを抽出する。そして、監視通報装置設定部１２３は、グループ情報記録部２０３に記録されているグループ情報から、抽出した装置ＩＤのうち、ユーザにより事前に入力されたユーザＩＤとパスワードに対応する装置ＩＤを抽出する。
【０２４９】
ステップＳ５４の処理後は、ステップＳ５５に進み、監視通報装置設定部１２３は、監視通報装置情報記録部２０４に記録されている監視通報装置情報から、抽出した装置ＩＤに対応する施設名を抽出し、表示情報生成部１１５に供給し、ステップＳ５６に進む。
【０２５０】
ステップＳ５６において、表示情報生成部１１５は、監視通報装置設定部１２３からの施設名に基づいて、その施設名と元情報に対応する施設名とが施設名選択部４１１に表示されるように、重ね合わせ画面４００を表示するための重ね合わせ画面情報を生成し、送信部１１６に供給する。
【０２５１】
ステップＳ５６の処理後は、ステップＳ５７に進み、送信部１１６は、表示情報生成部１１５からの重ね合わせ画面表示情報を、通信網１５を介して送信することにより、クライアント端末装置１６の出力部５７に重ね合わせ画面４００を表示させ、処理を終了する。
【０２５２】
なお、図２４では、キーワードを「気温」とする検索処理について説明したが、キーワードは、これに限定されない。例えば、キーワードを「地域」とする検索処理の場合、監視通報装置設定部１１２は、監視通報装置情報記録部２０４に記録されている監視通報装置情報から、元情報に対応する地域と同一の地域の装置ＩＤを抽出する。そして、監視通報装置設定部１１２は、グループ情報記録部２０３に記録されているグループ情報から、抽出した装置ＩＤのうち、事前に入力されたユーザＩＤとパスワードに対応する装置ＩＤを抽出する。さらに、監視通報装置設定部１１２は、監視通報装置情報記録部２０４に記録されている監視通報装置情報から、抽出した装置ＩＤに対応する施設名を抽出し、表示情報生成部１１５に供給する。その結果、重ね合わせ画面４００の施設名選択部４１１には、元情報に対応する地域と同一の地域に存在する施設の施設名が表示される。
【０２５３】
本実施の形態では、グラフ表示部３４３に、元情報と１つの比較情報を重ね合わせて表すグラフが表示されたが、グラフに表される情報は２つに限定されない。即ち、比較情報は、複数であってもよい。
【０２５４】
以上のように、遠隔監視通報サーバ１４では、受信部１１７が、複数の監視通報装置１１からデマンド値を取得し、表示情報生成部１１５が、複数の監視通報装置１１から取得されるデマンド値を重ね合わせて表示させるようにしたので、ユーザが電力の情報を視認するために最適な表示を行うことができる。
【０２５５】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０２５６】
また、プログラムは、１のコンピュータにより処理されるものであっても良いし、複数のコンピュータによって分散処理されるものであっても良い。さらに、プログラムは、遠方のコンピュータに転送されて実行されるものであっても良い。
【図面の簡単な説明】
【０２５７】
【図１】本発明を適用した遠隔監視通報システム１の一実施の形態の構成を示すブロック図である。
【図２】図１の監視通報装置（検知装置）の構成例を示すブロック図である。
【図３】図１の遠隔監視通報サーバ（情報処理装置）の構成例を示すブロック図である。
【図４】遠隔監視通報サーバ（情報処理装置）により実行されるプログラムの構成の例を示す図である。
【図５】クライアント端末装置により実行されるプログラムの構成の例を示す図である。
【図６】ユーザアカウントの種別について説明する図である。
【図７】遠隔監視通報システムにおけるユーザアカウントの階層構造について説明する図である。
【図８】遠隔監視通報サーバ（情報処理装置）の記録部の機能的構成例を示すブロック図である。
【図９】図８のセンサ情報記録部に記録されるセンサ情報の例を示す図である。
【図１０】図８の気象情報記録部に記録される気象情報の例を示す図である。
【図１１】図８のグループ情報記録部に記録されるグループ情報の例を示す図である。
【図１２】図８の監視通報装置情報記録部に記録される監視通報装置情報の例を示す図である。
【図１３】クライアント端末装置の出力部に表示される画面について説明する図である。
【図１４】クライアント端末装置の出力部に表示される画面について説明する図である。
【図１５】クライアント端末装置の出力部に表示される画面について説明する図である。
【図１６】クライアント端末装置の出力部に表示される画面について説明する図である。
【図１７】クライアント端末装置の出力部に表示される画面について説明する図である。
【図１８】クライアント端末装置の出力部に表示される画面について説明する図である。
【図１９】クライアント端末装置の出力部に表示される画面について説明する図である。
【図２０】クライアント端末装置によるグラフ表示処理を説明する図である。
【図２１】遠隔監視通報サーバ（情報処理装置）による表示情報送信処理を説明するフローチャートである。
【図２２】重ね合わせ画面の他の例を示す図である。
【図２３】重ね合わせ画面の他の例を示す図である。
【図２４】遠隔監視通報サーバ（情報処理装置）における検索処理を説明する図である。
【符号の説明】
【０２５８】
１  遠隔監視通報システム，  １１  監視通報装置，  １２  情報提供サーバ，  １３，１５  通信網，  １４  遠隔監視通報サーバ，  １６  クライアント端末装置，  ３５  通信部，  ３６  内部温度測定部，  ４１−１  電力計，  ４１−２  温度センサ，  ４１−３  漏電センサ，  ５１  CPU，  ５２  ROM，  ５３  RAM，  ５６  入力部，  ５７  出力部，  ５８  記録部，  ５９  通信部，  １０２  ウェブサーバプログラム，  １１３  センサ情報管理部，  １１４  気象情報管理部，  １１５  表示情報生成部，  １１６  送信部，  １２３  監視通報装置設定部
【図１】
2006288027.tif 000003
【図２】
2006288027.tif 000004
【図３】
2006288027.tif 000005
【図４】
2006288027.tif 000006
【図５】
2006288027.tif 000007
【図６】
2006288027.tif 000008
【図７】
2006288027.tif 000009
【図８】
2006288027.tif 000010
【図９】
2006288027.tif 000011
【図１０】
2006288027.tif 000012
【図１１】
2006288027.tif 000013
【図１２】
2006288027.tif 000014
【図１３】
2006288027.tif 000015
【図１４】
2006288027.tif 000016
【図１５】
2006288027.tif 000017
【図１６】
2006288027.tif 000018
【図１７】
2006288027.tif 000019
【図１８】
2006288027.tif 000020
【図１９】
2006288027.tif 000021
【図２０】
2006288027.tif 000022
【図２１】
2006288027.tif 000023
【図２２】
2006288027.tif 000024
【図２３】
2006288027.tif 000025
【図２４】
2006288027.tif 000026